(57)【要約】  各々、それぞれの送信帯域幅において送信する複数のベース送受信局（ＢＴＳ）と、各々それぞれの最大受信帯域幅をもつ一つ以上の携帯端末装置（ＭＴ）とを備え、マルチキャストサービスが伝送されることになるネットワークの少なくとも第１のグループのＢＴＳの送信帯域幅内で共通のマルチキャスト周波数帯域を規定すること、第１のグループのＢＴＳ内で各ＢＴＳから共通のマルチキャスト周波数でマルチキャストサービスを送信すること、及び共通のマルチキャスト周波数帯域の幅より大きな帯域幅をもつ各ベース送受信局がマルチキャスト周波数帯域外の送信帯域幅の一部においてユニキャストサービスを伝送できるようにすることを含んで成る無線通信ネットワークの動作方法。
2009526417.tif 000002
【特許請求の範囲】
【請求項１】
各々、それぞれの送信帯域幅において送信する複数のベース送受信局（ＢＴＳ）と、各々それぞれの最大受信帯域幅をもつ一つ以上の携帯端末装置（ＭＴ）とを備えた無線通信ネットワークの動作方法であって、
マルチキャストサービスが伝送されることになるネットワークの少なくとも第１のグループのＢＴＳの送信帯域幅内で共通のマルチキャスト周波数帯域を規定すること、
第１のグループのＢＴＳ内で各ＢＴＳから共通のマルチキャスト周波数でマルチキャストサービスを送信すること、及び
共通のマルチキャスト周波数帯域の幅より大きな帯域幅をもつ各ベース送受信局がマルチキャスト周波数帯域外の送信帯域幅の一部においてユニキャストサービスを伝送できるようにすること、
を含むことを特徴とする無線通信ネットワークの動作方法。
【請求項２】
共通のマルチキャスト周波数帯域の周波数が予め規定されることを特徴とする請求項１記載の無線通信ネットワークの動作方法。
【請求項３】
共通のマルチキャスト周波数帯域が、ＭＴにおける最低の最大受信帯域幅に等しい帯域幅をもつことを特徴とする請求項１又は２記載の無線通信ネットワークの動作方法。
【請求項４】
第１のグループがネットワークにおける全てのＢＴＳを含んでいることを特徴とする請求項１〜３のいずれか一項記載の無線通信ネットワークの動作方法。
【請求項５】
第１の送信帯域幅をもつベース送受信局（ＢＴＳ）におけるマルチキャストサービスを、各々それぞれの最大の受信帯域幅をもつ一つ以上の携帯端末装置（ＭＴ）に送信する方法であって、
予め規定したマルチキャスト周波数帯域においてマルチキャストサービスを送信すること、及び
第１の送信帯域幅がマルチキャスト周波数帯域の帯域幅より大きい場合に、マルチキャスト周波数帯域外の一つ以上の周波数帯域でユニキャストサービスを送信すること、
を含むことを特徴とするベース送受信局におけるマルチキャストサービスの送信方法。
【請求項６】
さらに、前記マルチキャストデータを含む時間ドメイン信号に長循環前置子を付加することを含むことを特徴とする請求項５記載のベース送受信局におけるマルチキャストサービスの送信方法。
【請求項７】
さらに、
前記ユニキャストサービスと前記マルチキャストサービスとを結合して、前記ユニキャストサービス及び前記マルチキャストサービスを表す信号を形成する複数の副搬送波の直交性が送信信号において維持されるように送信信号を発生することを含むことを特徴とする請求項５又は６記載のベース送受信局におけるマルチキャストサービスの送信方法。
【請求項８】
さらに、
前記ユニキャストサービスを表すデータと前記マルチキャストサービスを表すデータとを周波数ドメインで多重化すること、及び
多重化した周波数ドメイン信号を時間ドメイン信号に変換すること、
を含むことを特徴とする請求項５〜７のいずれか一項記載のベース送受信局におけるマルチキャストサービスの送信方法。
【請求項９】
多重化した周波数ドメイン信号を時間ドメイン信号に変換するステップが、最初の送信帯域幅に依存した大きさの逆高速フーリエ変換（ＩＦＦＴ）を行うことを含むことを特徴とする請求項８記載のベース送受信局におけるマルチキャストサービスの送信方法。
【請求項１０】
さらに、
前記ユニキャストサービスを表すデータを時間ドメイン信号に変換すること、及び
前記マルチキャストサービスを表すデータを、前記ユニキャストサービスを表すデータとは別個に時間ドメイン信号に変換すること、
を含むことを特徴とする請求項５〜７のいずれか一項記載のベース送受信局におけるマルチキャストサービスの送信方法。
【請求項１１】
前記ユニキャストサービスを表すデータを時間ドメイン信号に変換するステップが、最初の送信帯域幅に依存した大きさの逆高速フーリエ変換（ＩＦＦＴ）を行うことを含むことを特徴とする請求項１０記載のベース送受信局におけるマルチキャストサービスの送信方法。
【請求項１２】
前記マルチキャストサービスを表すデータを時間ドメイン信号に変換するステップが、最初の送信帯域幅に依存した大きさの逆高速フーリエ変換（ＩＦＦＴ）を行うことを含むことを特徴とする請求項１０又は１１記載のベース送受信局におけるマルチキャストサービスの送信方法。
【請求項１３】
さらに、
ユニキャストサービスを搬送する時間ドメイン信号に、第１の長さをもつ第１の循環前置子を付加すること、
マルチキャストサービスを搬送する時間ドメイン信号に、第１の長さより長い第２の長さをもつ第２の循環前置子を付加すること、及び
前記ＭＴへ送信する前に前記時間ドメイン信号を付加すること、
を含むことを特徴とする請求項１０〜１２のいずれか一項記載のベース送受信局におけるマルチキャストサービスの送信方法。
【請求項１４】
さらに、
前記多重化した信号から発生した時間ドメイン信号に長い循環前置子を付加することを含むことを特徴とする請求項８又は９記載のベース送受信局におけるマルチキャストサービスの送信方法。
【請求項１５】
さらに、
特定の時間送信間隔でマルチキャストサービスが送信されない場合に、前記多重化した信号から発生した時間ドメイン信号に短い循環前置子を付加することを含むことを特徴とする請求項１４記載のベース送受信局におけるマルチキャストサービスの送信方法。
【請求項１６】
さらに、
特定の時間送信間隔でマルチキャストサービスが送信されることになるかどうかを、一つ以上のＭＴへ送信することを含むことを特徴とする請求項５〜１５のいずれか一項記載のベース送受信局におけるマルチキャストサービスの送信方法。
【請求項１７】
各々、それぞれの送信帯域幅において送信する一つ以上のベース送受信局（ＢＴＳ）を備え、前記一つ以上のベース送受信局（ＢＴＳ）の一部が一つ以上のマルチキャストサービスを送信するように構成される、無線通信ネットワークの第１の最大受信帯域幅をもつ携帯端末装置（ＭＴ）における方法であって、
一つ以上のマルチキャストサービスを送信するようにされた送信帯域幅の部分をエンコンパスする受信周波数帯域に受信装置を同調させること、
マルチキャストサービスに関連したデータを含む少なくとも信号の部分を送信するのに用いた循環前置子の長さを決めること、
マルチキャストサービスに関連したデータを含む少なくとも信号の部分から前記決められた長さの循環前置子を除去すること、及び
マルチキャストサービスを送信するのに用いた送信帯域幅の部分の大きさで決められた大きさの高速フーリエ変換を用いて、マルチキャストサービスに関連したデータを含む信号の部分を周波数ドメイン信号に変換すること、
を含むことを特徴とする方法。
【請求項１８】
さらに、
ユニキャストサービスに関連したデータを含む少なくとも信号の第２の部分から前記決められた長さより短い長さの循環前置子を除去すること、及び
ユニキャストサービスを送信するのに用いた送信帯域幅の部分の大きさで決められた大きさの高速フーリエ変換を用いて、ユニキャストサービスに関連したデータを含む信号の第２の部分を周波数ドメイン信号に変換すること、
を含むことを特徴とする請求項１７記載の方法。
【請求項１９】
各々、それぞれの送信帯域幅において送信する一つ以上のベース送受信局（ＢＴＳ）を備え、前記一つ以上のベース送受信局（ＢＴＳ）の一部が一つ以上のマルチキャストサービスを送信するように構成される、無線通信ネットワークの第１の最大受信帯域幅をもつ携帯端末装置（ＭＴ）における方法であって、
一つ以上のマルチキャストサービスを送信するようにされた送信帯域幅の部分を含む受信周波数帯域に受信装置を同調させること、
特定の送信時間間隔で信号を送信するのに用いた循環前置子の長さを決めること、
相応した受信信号から前記決められた長さの循環前置子を除去すること、及び
ＭＴの受信帯域幅で決められた大きさの高速フーリエ変換を用いて、受信信号を周波数ドメイン信号に変換すること、
を含むことを特徴とする方法。
【請求項２０】
一部が一つ以上のマルチキャストサービスを送信するようにされたそれぞれの送信帯域幅において送信する少なくとも一つのベース送受信局（ＢＴＳ）と通信する携帯端末装置（ＭＴ）における、ユニキャストサービスの受信方法であって、
受信装置を受信周波数帯域に同調させること、
特定の送信時間間隔で信号を送信するのに用いた循環前置子の長さを決めること、
相応した受信信号から前記決められた長さの循環前置子を除去すること、及び
ＭＴの受信帯域幅で決められた大きさの高速フーリエ変換を用いて、受信信号を周波数ドメイン信号に変換すること、
を含むことを特徴とする方法。
【請求項２１】
循環前置子の長さが受信した信号データに基づいて決められることを特徴とする請求項１７〜２０のいずれか一項記載の方法。
【請求項２２】
マルチキャスト制御チャンネルを読取ること、及び
マルチキャスト制御チャンネルにおいて受信したデータに基いて、一つ以上の伝送時間間隔がマルチキャストサービスを含んでいるかどうかを決めること、及び
特定の伝送時間間隔における１つ以上のマルチキャストサービスの有無に基いて、該特定の伝送時間間隔において信号を伝送するのに用いた循環前置子の長さを決めること、
を含むことを特徴とする請求項２１記載の方法。
【請求項２３】
循環前置子の長さが前記循環前置子の長さの盲目的検知で決められることを特徴とする請求項１７〜２０のいずれか一項記載の方法。
【請求項２４】
第１の送信帯域幅をもつベース送受信局（ＢＴＳ）において少なくとも一つのマルチキャストサービス及びユニキャストサービスを、第１の送信帯域幅より狭い受信帯域幅で動作する携帯端末装置（ＭＴ）へ伝送することをスケジュールする方法であって、前記マルチキャストサービスが、予め規定した共通のマルチキャスト周波数帯域で送信され、前記ユニキャストサービスが、マルチキャスト周波数帯域外の一つ以上の周波数帯域で送信され、ＭＴが、マルチキャスト周波数帯域を包含しない受信周波数帯域でそれのユニキャストサービスを受信するように構成されている場合に、
少なくとも一つの第１の送信時間間隔で前記マルチキャストサービスの送信をスケジュールすること、及び
少なくとも一つの異なる第２の送信時間間隔で前記ユニキャストサービスの送信をスケジュールすること、
を含み、
前記第１及び第２の送信時間間隔が連続していないこと、
を特徴とする方法。
【請求項２５】
前記マルチキャストサービス及び前記ユニキャストサービスの送信ためにスケジュールした時間間隔の間に少なくとも予定の時間間隔を設けることを含むことを特徴とする請求項２４記載の方法。
【請求項２６】
前記マルチキャストサービスを包含する受信帯域と前記ユニキャストサービスを含む受信帯域との間で又はその逆の間で前記携帯端末装置を切換えするのに十分に時間間隔を前記ユニキャストサービスと前記マルチキャストサービスとの間にスケジュールすることを含むことを特徴とする請求項２４又は２５記載の方法。
【請求項２７】
マルチキャストサービス及びユニキャストサービスのスケジューリングが、ＭＴで受信されることになる一つ以上のマルチキャストサービスを表す該ＭＴから受信した信号データに従って行われることを特徴とする請求項２４〜２６のいずれか一項記載の方法。
【請求項２８】
第１の受信帯域幅で動作する携帯端末装置（ＭＴ）でマルチキャストサービス及びユニキャストサービスを受信する方法であって、これらのサービスが、第１の受信帯域幅より大きい送信帯域幅をもつベース送受信局（ＢＴＳ）から受信され、前記マルチキャストサービスが、送信帯域幅内の予め規定した共通のマルチキャスト周波数帯域で送信される方法において、
マルチキャスト周波数帯域を包含しない受信周波数帯域でユニキャストサービスを受信すること、
ＭＴの受信周波数帯域を、マルチキャスト周波数帯域を包含する周波数帯域に切換えること、及び前記切換えた受信周波数帯域においてユニキャストサービス及びマルチキャストサービスを受信すること、
を含むことを特徴とする方法。
【請求項２９】
ＭＴの受信周波数帯域を切換えるステップがＭＴによって自動的に行われ、さらに、受信周波数帯域の切換えを要求するか又はＭＴが受信周波数帯域を切換えたことをＢＴＳに報告するようにＢＴＳに信号を供給することを含むことを特徴とする請求項２８記載の方法。
【請求項３０】
ＭＴに受信周波数帯域を切換えるように指令する信号データをＭＴで受信することを含むことを特徴とする請求項２８記載の方法。
【請求項３１】
請求項５〜１６及び請求項２４〜２７のいずれか一項記載の方法を用いてマルチキャストサービスを送信するように構成したことを特徴とするベース送受信局。
【請求項３２】
請求項１７〜１９のいずれか一項記載の方法を実施するように構成したことを特徴とする携帯端末装置。
【請求項３３】
請求項２０〜２３及び請求項２８〜３０のいずれか一項記載の方法を用いてサービスを受信するように構成したことを特徴とする携帯端末装置。
【請求項３４】
各々、それぞれの送信帯域幅において送信する複数のベース送受信局（ＢＴＳ）と、各々それぞれの最大受信帯域幅をもつ一つ以上の携帯端末装置（ＭＴ）とを有し、請求項１〜４のいずれか一項に記載の方法を実施するように構成したことを特徴とする無線通信ネットワーク。
【発明の詳細な説明】
【技術分野】
【０００１】
本発明は、無線通信ネットワークにおけるマルチキャスト及びユニキャストサービスをサポートする方法及びシステムに関するものである。好ましい実施形態では、本発明は、直交周波数分割周波数多重アクセス（ＯＦＤＭＡ）を使用した無線通信ネットワークにおいてマルチメディアブロードキャストマルチキャスト（マルチキャスト）サービス（ＭＢＭＳ）及びユニキャストサービスを提供する方法及びシステムに関する。
【背景技術】
【０００２】
将来の高データ転送速度及びサービスの質の改善に対するユーザーの要求の先行する増加に応じるために、３ＧＧＰが識別され、ダウンリンク方向においては１００ＭＢＰＳまでのデータ転送速度またアップリンク方向では５０ＭＢＰＳまでのデータ転送速度を提供する、長期の媒体（メディア）の配置用の新しいネットワークの開発することが望ましい。この増大したデータ転送速度を許容の質で達成するために、かかるネットワークはＯＦＤＭＡを実施し、２０ＭＨｚの最大ダウンリンク伝送帯域幅をもつ。
【０００３】
前記の所望の２０ＭＨｚのピーク帯域幅基準にもかかわらず、ある理由又は他の理由で、５ＭＨｚ、１０ＭＨｚ、１５ＭＨｚ、或いは１．２５ＭＨｚ又は２．５ＭＨｚのような低い帯域幅をもつセル（領域）も存在している。また種々の受信能力すなわち受信帯域幅をもつＵＥ（ユーザー機器）がかかるネットワークと通信できることが望ましい。認識されるように、比較的高い能力の送受話器は比較的複雑であり従って比較的高価であり、そのためユーザーの中には比較的安価な送受話器を得る行動に移っている。
【発明の開示】
【発明が解決しようとする課題】
【０００４】
次世代のネットワークに包含される３ＧＰＰによって識別されたサービスの一つに、マルチメディアブロードキャストマルチキャスト（グループ同報）サービス（ＭＢＭＳ）がある。ＭＢＭＳは現在３Ｇネットワークにおいてサポートされているが、次世代のネットワークでそれを実施することは、かかるネットワークでは近年ＷＣＤＭＡよりむしろＯＦＤＭＡが使用されているため、相当に難しい。従って、将来これらのネットワークにおいてＭＢＭＳを配置できるシステム及び方法を提供する必要がある。
【０００５】
さらに、これらの将来のシステムの拡張帯域幅のために、ＭＢＭＳのあらゆる配置体系はＭＢＭＳサービスと同時にユニキャストサービスを伝送できることが望ましい。従って、ＭＢＭＳとユニキャストサービスとの間で物理的に資源を共用できるシステム及び方法が必要である。
【課題を解決するための手段】
【０００６】
第１の特徴において、本発明は、各々、それぞれの送信帯域幅において送信する複数のベース送受信局（ＢＴＳ）と、各々それぞれの最大受信帯域幅をもつ一つ以上の携帯端末装置（ＭＴ）とを備え、マルチキャストサービスが伝送されることになるネットワークの少なくとも第１のグループのＢＴＳの送信帯域幅内で共通のマルチキャスト周波数帯域を規定すること、第１のグループのＢＴＳ内で各ＢＴＳから共通のマルチキャスト周波数でマルチキャストサービスを送信すること、及び共通のマルチキャスト周波数帯域の幅より大きな帯域幅をもつ各ベース送受信局がマルチキャスト周波数帯域外の送信帯域幅の一部においてユニキャストサービスを伝送できるようにすることを含む無線通信ネットワークの動作方法を提供する。
【０００７】
本方法のある特定の実施形態では、共通のマルチキャスト周波数帯域の周波数は予め規定される。
【０００８】
好ましくは、共通のマルチキャスト周波数帯域は、ＭＴにおける最低の最大受信帯域幅に等しい帯域幅をもつ。
【０００９】
ある実施形態では、第１のグループのＢＴＳはネットワークにおける全てのＢＴＳを含んでいる。
【００１０】
第２の特徴において、本発明は、第１の送信帯域幅をもつベース送受信局（ＢＴＳ）におけるマルチキャストサービスを、各々それぞれの最大の受信帯域幅をもちつつ一つ以上の携帯端末装置（ＭＴ）に送信する方法を提供し、本方法は、予め規定したマルチキャスト周波数帯域においてマルチキャストサービスを送信すること、及び第１の送信帯域幅がマルチキャスト周波数帯域の帯域幅より大きい場合に、マルチキャスト周波数帯域外の一つ以上の周波数帯域でユニキャストサービスを送信することを含む。
【００１１】
本方法はさらに、前記マルチキャストデータを含む時間ドメイン信号に長循環前置子を付加することを含むことができる。
【００１２】
本方法はさらに、前記ユニキャストサービスと前記マルチキャストサービスとを結合して、前記ユニキャストサービス及び前記マルチキャストサービスを表す信号を形成する複数の副搬送波の直交性が送信信号において維持されるように送信信号を発生することを含むことができる。
【００１３】
本方法はさらに、前記ユニキャストサービスを表すデータと前記マルチキャストサービスを表すデータとを周波数ドメインで多重化すること、及び多重化した周波数ドメイン信号を時間ドメイン信号に変換することを含むことができる。
【００１４】
多重化した周波数ドメイン信号を時間ドメイン信号に変換するステップは、最初の送信帯域幅に依存した大きさの逆高速フーリエ変換（ＩＦＦＴ）を行うことを含むことができる。
【００１５】
本方法はさらに、前記ユニキャストサービスを表すデータを時間ドメイン信号に変換すること、及び前記マルチキャストサービスを表すデータを、前記ユニキャストサービスを表すデータとは別個に時間ドメイン信号に変換することを含むことができる。
【００１６】
第３の特徴において、本発明は請求項１０記載のベース送受信局におけるマルチキャストサービスの送信方法を提供し、前記ユニキャストサービスを表すデータを時間ドメイン信号に変換するステップは、最初の送信帯域幅に依存した大きさの逆高速フーリエ変換（ＩＦＦＴ）を行うことを含む。
【００１７】
前記マルチキャストサービスを表すデータを時間ドメイン信号に変換するステップは、最初の送信帯域幅に依存した大きさの逆高速フーリエ変換（ＩＦＦＴ）を行うことを含むことができる。
【００１８】
本方法はさらに、ユニキャストサービスを搬送する時間ドメイン信号に、第１の長さをもつ第１の循環前置子を付加すること、マルチキャストサービスを搬送する時間ドメイン信号に、第１の長さより長い第２の長さをもつ第２の循環前置子を付加すること、及び前記ＭＴへ送信する前に前記時間ドメイン信号を付加することを含むことができる。
【００１９】
本方法はさらに、前記多重化した信号から発生した時間ドメイン信号に長い循環前置子を付加することを含むことができる。
【００２０】
本方法はさらに、特定の時間送信間隔でマルチキャストサービスが送信されない場合に、前記多重化した信号から発生した時間ドメイン信号に短い循環前置子を付加することを含むことができる。
【００２１】
本方法はさらに、特定の時間送信間隔でマルチキャストサービスが送信されることになるかどうかを、一つ以上のＭＴへ送信することを含むことができる。
【００２２】
第４の特徴において、本発明は、各々、それぞれの送信帯域幅において送信する一つ以上のベース送受信局（ＢＴＳ）を備え、前記一つ以上のベース送受信局（ＢＴＳ）の一部が一つ以上のマルチキャストサービスを送信するように構成される、無線通信ネットワークの第１の最大受信帯域幅をもつ携帯端末装置（ＭＴ）における方法を提供し、本方法は、一つ以上のマルチキャストサービスを送信するようにされた送信帯域幅の部分をエンコンパスする受信周波数帯域に受信装置を同調させること、マルチキャストサービスに関連したデータを含む少なくとも信号の部分を送信するのに用いた循環前置子の長さを決めること、マルチキャストサービスに関連したデータを含む少なくとも信号の部分から前記決められた長さの循環前置子を除去すること、及びマルチキャストサービスを送信するのに用いた送信帯域幅の部分の大きさで決められた大きさの高速フーリエ変換を用いて、マルチキャストサービスに関連したデータを含む信号の部分を周波数ドメイン信号に変換することを含む。
【００２３】
本方法はさらに、ユニキャストサービスに関連したデータを含む少なくとも信号の第２の部分から前記決められた長さより短い長さの循環前置子を除去すること、及びユニキャストサービスを送信するのに用いた送信帯域幅の部分の大きさで決められた大きさの高速フーリエ変換を用いて、ユニキャストサービスに関連したデータを含む信号の第２の部分を周波数ドメイン信号に変換することを含むことができる。
【００２４】
第５の特徴において、本発明は、各々、それぞれの送信帯域幅において送信する一つ以上のベース送受信局（ＢＴＳ）を備え、前記一つ以上のベース送受信局（ＢＴＳ）の一部が一つ以上のマルチキャストサービスを送信するように構成される、無線通信ネットワークの第１の最大受信帯域幅をもつ携帯端末装置（ＭＴ）における方法を提供し、本方法は、一つ以上のマルチキャストサービスを送信するようにされた送信帯域幅の部分を含む受信周波数帯域に受信装置を同調させること、特定の送信時間間隔で信号を送信するのに用いた循環前置子の長さを決めること、相応した受信信号から前記決められた長さの循環前置子を除去すること、及びＭＴの受信帯域幅で決められた大きさの高速フーリエ変換を用いて、受信信号を周波数ドメイン信号に変換することを含む。
【００２５】
第６の特徴において、本発明は、一部が一つ以上のマルチキャストサービスを送信するようにされたそれぞれの送信帯域幅において送信する少なくとも一つのベース送受信局（ＢＴＳ）と通信する携帯端末装置（ＭＴ）における、ユニキャストサービスの受信方法を提供し、かかる方法は、受信装置を受信周波数帯域に同調させること、特定の送信時間間隔で信号を送信するのに用いた循環前置子の長さを決めること、相応した受信信号から前記決められた長さの循環前置子を除去すること、及びＭＴの受信帯域幅で決められた大きさの高速フーリエ変換を用いて、受信信号を周波数ドメイン信号に変換することを含む。
【００２６】
循環前置子の長さは受信した信号データに基づいて決められ得る。
【００２７】
本方法は、マルチキャスト制御チャンネルを読取ること、及びマルチキャスト制御チャンネルにおいて受信したデータに基いて、一つ以上の伝送時間間隔がマルチキャストサービスを含んでいるかどうかを決めること、及び特定の伝送時間間隔における１つ以上のマルチキャストサービスの有無に基づいて、該特定の伝送時間間隔において信号を伝送するのに用いた循環前置子の長さを決めることを含むことができる。
【００２８】
循環前置子の長さは前記循環前置子の長さの盲目的検知で決められ得る。
【００２９】
第７の特徴において、本発明は、第１の送信帯域幅をもつベース送受信局（ＢＴＳ）において少なくとも一つのマルチキャストサービス及びユニキャストサービスを、第１の送信帯域幅より狭い受信帯域幅で動作する携帯端末装置（ＭＴ）へ伝送することをスケジュールする方法を提供し、前記マルチキャストサービスは、予め規定した共通のマルチキャスト周波数帯域で送信され、前記ユニキャストサービスは、マルチキャスト周波数帯域外の一つ以上の周波数帯域で送信され、ＭＴは、マルチキャスト周波数帯域を包含しない受信周波数帯域でそれのユニキャストサービスを受信するように構成され、本方法は、少なくとも一つの第１の送信時間間隔で前記マルチキャストサービスの送信をスケジュールすること、及び少なくとも一つの異なる第２の送信時間間隔で前記ユニキャストサービスの送信をスケジュールすることを含み、前記第１及び第２の送信時間間隔は連続していない。
【００３０】
本方法は、前記ユニキャストサービス及び前記マルチキャストサービスの送信ためにスケジュールした時間間隔の間に少なくとも予定の時間間隔を設けることを含むことができる。
【００３１】
本方法は、前記マルチキャストサービスを包含する受信帯域と前記ユニキャストサービスを含む受信帯域との間で又はその逆の間で前記携帯端末装置を切換えするのに十分に時間間隔を前記ユニキャストサービスと前記マルチキャストサービスとの間にスケジュールすることを含むことができる。
【００３２】
マルチキャストサービス及びユニキャストサービスのスケジューリングは、ＭＴで受信されることになる一つ以上のマルチキャストサービスを表す該ＭＴから受信した信号データに従って行われる。
【００３３】
第８の特徴において、本発明は、第１の受信帯域幅で動作する携帯端末装置（ＭＴ）でマルチキャストサービス及びユニキャストサービスを受信し、これらのサービスが、第１の受信帯域幅より大きい送信帯域幅をもつベース送受信局（ＢＴＳ）から受信され、前記マルチキャストサービスが、送信帯域幅内の予め規定した共通のマルチキャスト周波数帯域で送信され、マルチキャスト周波数帯域を包含しない受信周波数帯域でユニキャストサービスを受信すること、ＭＴの受信周波数帯域を、マルチキャスト周波数帯域を包含する周波数帯域に切換えること、及び前記切換えた受信周波数帯域においてユニキャストサービス及びマルチキャストサービスを受信することを含む方法を提供する。
【００３４】
ＭＴの受信周波数帯域を切換えるステップはＭＴによって自動的に行われ、本方法はさらに、受信周波数帯域の切換えを要求するか又はＭＴが受信周波数帯域を切換えたことをＢＴＳに報告するようにＢＴＳに信号を供給することを含む。
【００３５】
本方法は、ＭＴに受信周波数帯域を切換えるように指令する信号データをＭＴで受信することを含むことができる。
【００３６】
さらに別の特徴において、本発明は、本発明の前記の複数の特徴の任意の一つを実施する方法を実施するように構成したＭＴを提供する。
【００３７】
さらに別の特徴において、本発明は、本発明の前記の複数の特徴の任意の一つを実施する方法を実施するように構成した送信機を提供する。
【００３８】
さらに別の特徴において、本発明は、本発明の前記の複数の特徴の任意の一つを実施する方法を実施するように構成した無線通信ネットワークを提供する。
【発明を実施するための最良の形態】
【００３９】
以下、添付図面を参照して単に本発明を限定しない例として本発明の好ましい実施形態について説明する。
【００４０】
３ＧＰＰで適用される専門用語を用いて好ましい実施形態を説明するのがよいが、しかし、本発明は、３ＧＰＰ規格に従って動作するネットワークへの応用に限定されると考えるべきでない。
【００４１】
以下本発明の好ましい実施形態を、５ＭＨｚ、１０ＭＨｚ、１５ＭＨｚ及び２０ＭＨｚ受信帯域幅をもつＵＥを備えたＯＦＤＭＡ通信ネットワークに関連して説明する。ネットワークにおける最低能力のＵＥでサポートされる最大受信帯域幅は５ＭＨｚであると仮定する。これは、現在のＷＣＤＭＡ  ＵＥが５ＭＨｚ受信帯域幅をもつので妥当な仮定であり、そして将来ＵＥはこの規格を少なくともサポートすることが期待される。またＵＥは単一の５ＭＨｚ幅のＭＢＭＳデータ流を受信する能力をもつと仮定する。この仮定は、ＷＣＤＭＡネットワークにおけるＭＢＭＳの現在のＲｅｌ’６  ３ＧＰＰ仕様に基づいている。好ましい実施形態では、ダウンリンク伝送処理及び伝送のパラメータは表１に示すとおりである。
【００４２】
【表１】
2009526417.tif 000003
【００４３】
本発明は、前記の特定の例示帯域幅及びＵＥ能力に限定されず、拡張性のある送信帯域幅及び異なる受信帯域幅のＵＥをもつネットワークにほぼ適用できることが理解されるべきである。
【００４４】
要するに、本発明の実施形態は、全てのＭＢＭＳサービスの伝送に専用のネットワークの伝送帯域幅内で単一周波数ネットワーク（ＳＦＮ）を有効に規定することによって動作する。各領域の残りの伝送帯域幅は、ユニキャストデータを伝送するのに用いることができる。好ましくは、ＳＦＮは、規格のＵＥ  ＭＢＭＳ受信帯域幅能力に等しい帯域幅で伝送され、かかる帯域幅は好ましい実施形態では５ＭＨｚであると仮定される。さらに、例示した実施形態では、各ＭＢＭＳサービスは別個の伝送時間間隔（ＴＴＩ）で伝送される。これにより、ＵＥが単に関心のある単数又は複数のＭＢＭＳサービスに相当したＴＴＩでＭＢＭＳデータを受信する必要があるだけであるので、ＵＥにおいて有効なスリープモードを実行することができる。全てのセルにおけるＭＢＭＳ信号は同一伝送帯域に限定されるので、受信した複数通路信号間の時間遅延は比較的長い。従って、ネットワークがＭＢＭＳデータを伝送している際に、長い遅延に対処しそしてインターセル同期化要求を和らげるために長い循環前置子（ＣＰ）が用いられる。
【００４５】
本発明の二つの例示実施形態を以下、添付図面の図１及び図２に関連して説明する。
【００４６】
図１は、二つのＵＥ１０２、１０４と通信するベース送受信局（ＢＴＳ）１００の概略図である。ＢＴＳ１００の伝送帯域幅は２０ＭＨｚであり、一方ＵＥ１０２の受信帯域幅は５ＭＨｚであり、ＵＥ１０４の受信帯域幅は２０ＭＨｚである。この例では、ＢＴＳ１００はＭＢＭＳサービスと共にユニキャストサービスを伝送している。ＵＥ１０２、１０４の両方はＭＢＭＳサービスを受信するようにスケジュールされ、ＵＥ１０４だけがユニキャストデータを受信するようにされている。
【００４７】
両方のサービスを同時に伝送するために、ＢＴＳはＭＢＭＳ及びユニキャストサービスを多重化する必要がある。この実施形態では、ネットワークは、ＭＢＭＳサービスを伝送するために使用されることになる全てのＢＴＳに対して周波数スペクトルの予め規定した部分を指定して、ＭＢＭＳサービスを伝送するネットワークの伝送スペクトル内に単一周波数ネットワークを有効に規定する。
【００４８】
この例では、ＢＴＳは、ＭＢＭＳサービスの伝送のために副搬送波の第１のブロックを割当て、ユニキャストサービスの伝送のために副搬送波の第２のブロックを割当てることによって周波数ドメインにおける多重化を実行する。ネットワークにおける他の全てのＢＴＳもまたＭＢＭＳサービスの伝送のために副搬送波の同じブロックを割当て、そしてそれらの帯域幅がその帯域より大きい場合には、それらはユニキャストサービスの伝送のために残りの帯域幅を割当てできる。
【００４９】
データを周波数多重化した後、副搬送波の全セット（ＢＴＳ１００が２０ＭＨｚの伝送帯域幅を持っているので、この例では１２０−１である）は逆高速フーリエ変換（ＩＦＦＴ）ブロック１１０によって時間ドメイン信号に変換される。ＩＦＦＴは、時間ドメイン信号を発生するために送信機の全周波数帯域に加えられる。例示実施形態では、適用したＩＦＦＴは２０４８ポイントＩＦＦＴであるが、送信機の利用可能な帯域幅に関連して他のＩＦＦＴサイズを用いることができる（前記表１参照）。各キャンピング帯域における別個のＩＦＦＴを実施するよりはむしろ、副搬送波の全セットにわたって単一のＩＦＦＴが実施される。これにより、単に送信機の帯域幅に関連するサイズをもつ単一のＩＦＦＴブロックが各送信機アンテナに対して必要とされるので、ベース送受信局構造は簡単化される。
【００５０】
ＯＦＤＭＡシステムには普通のように、次に、１１２において当業者に知られた仕方で、時間ドメイン信号に循環前置子が付加される。比較的ワイドなネットワーク内に単一周波数ネットワークが規定されるので、多くのＢＴＳはデイム時間に同じＭＢＭＳデータを伝送し、従って、広く変動する遅延をもってＵＥは多くのマルチパス信号を見ることができる。従って、ＭＢＭＳサービスが伝送されることになる伝送時間間隔（ＴＴＩ）においては、ブロック１１２によって時間ドメイン信号に長い循環前置子が付加される。逆に、ＭＢＭＳが伝送されることにならないＴＴＩでは、オーバーヘッドを最少化するために短い循環前置子を用いることができる。
【００５１】
そしてこの信号は、ベース局送信機１１６によって伝送する前に１１４でさらに処理される。そして伝送された信号はＵＥ１０２、１０４の各々によって受信される。
【００５２】
伝送されたＭＢＭＳサービスを受信するために、ＵＥ１０２、１０４の各々はそれの搬送波周波数を適当な中心周波数、すなわちＵＥ１０２に対してＭＢＭＳデータを伝送する伝送スペクトルの部分及びＵＥ１０４に対してＢＴＳ伝送スペクトルの中心に同調する。
【００５３】
ＵＥ１０２の受信帯域幅の限定のために、全２０ＭＨｚ伝送帯域幅の５ＭＨｚ部分だけがＲＦブロック１１８−１を用いてＵＥ１０２で受信される。逆に、ＵＥ１０４は２０ＭＨｚの受信帯域幅をもっているので、ＭＢＭＳサービスを搬送する伝送信号の部分を含む伝送帯域幅の全てが受信される（ＲＦブロック１１８−２を用いて）。
【００５４】
次に、受信した信号は別のＲＦ処理を受けそしてアナログ・デジタル変換（図示していない）される。好ましい実施形態では、Ａ／Ｄ変換ブロック（図示していない）の出力におけるデジタルサンプルのサンプリング周波数は、ＵＥ１０２では７．６８ＭＨｚであり、ＵＥ１０４では３０．７２ＭＨｚである。その後循環前置子はＵＥ１０２、１０４におけるブロック１２０−１、１２０−２で除去される。
【００５５】
前述のように、ＣＰの長さは、ＭＢＭＳサービスが特定のＴＴＩで伝送されているどうかに関連して変化する。従って、ＵＥはＣＰの長さが変化した時にその変化を知る必要がある。ＭＢＭＳサービスを受信しているＵＥ、例えばＵＥ１０２、１０４について、これらのＵＥがマルチキャスト制御チャンネル（ＭＣＣＨ）をきちんとモニタするので、これは比較的真直ぐに進む。しかし、いかなるＭＢＭＳサービスにも加入しない又はＭＢＭＳを受信できない他のＵＥもネットワークに存在し得る。これらのＵＥはＭＣＣＨをモニタせず、従って、ＣＰの長さの変化について知る別の機構を必要とする。第１の実施形態では、ＵＥは、ＣＰの長さの盲目的な検知を行なわないようにできる。これは、当業者に知られた標準の方法を用いて行われる。代わりに、ＭＣＣＨ、又は他の制御チャンネルは、全てのＵＥが、ＭＢＭＳトラフィクチャンネル（ＭＴＣＨ）を含んでいるＴＴＩを知らせる信号を受けるように構成できる。
【００５６】
図１に戻って、両ＵＥは、それぞれＵＥ１０２、１０４におけるブロック１２２−１、１２２−２においてＦＦＴを実行して、時間ドメイン信号を周波数ドメイン信号に変換する。最初に無線同調ステップが行われるので、実行したＦＦＴのサイズは、ＵＥの受信帯域幅によって指定され、セル伝送帯域内の所望の副搬送波の位置によって指定されない。表１から分かるように、ＵＥ１０２は、受信帯域幅が５ＭＨｚであり、ＭＢＭＳサービスを含む３０１副搬送波だけを抽出するように求めているので、常に５１２ポイントＦＦＴを用いる。同様に、ＵＥ１０４は、受信帯域幅が２０ＭＨｚであるので、常に２０４８ポイントＦＦＴを用いる。
【００５７】
図２は、二つのＵＥ２０２、２０４と通信するベース送受信局（ＢＴＳ）２００の概略図である。図１に示すように、ＢＴＳ２００の伝送帯域幅は２０ＭＨｚであり、またＵＥ２０２の受信帯域幅は５ＭＨｚであり、ＵＥ２０４の受信帯域幅は２０ＭＨｚである。この例では、ＢＴＳ２００はＭＢＭＳサービスと共にユニキャストサービスを伝送している。両ＵＥ２０２、２０４はＭＢＭＳサービスを受信するようにスケジュールされ、ＵＥ２０４だけがユニキャストデータを受信するようにされている。この実施形態は、ＢＴＳで用いた多重化方法において、図１のものと異なっている。この実施形態では、ＭＢＭＳデータを周波数多重化するのではなく、多重化された信号を一つの操作で時間ドメイン信号に変換することによって、この実施形態は、二つの別個のＩＦＦＴを実行し、周波数多重化した信号を時間ドメインに結合している。図面を参照すると、図１の場合のように、ＭＢＭＳデータは、副搬送波の第１の帯域２０６に規定され、またユニキャストデータは副搬送波の第２のグループすなわち帯域２０８に規定される。これらの帯域２０６、２０８はオーバーラップせず、従って副搬送波の各グループにおける信号間に干渉がない。大きな受信帯域幅のＵＥの複雑さを最少化するために、ＭＢＭＳ副搬送波ブロック２０６は、ＢＴＳの伝送スペクトルの一縁部に配置される。副搬送波の各セット２０６、２０８は、ＩＦＦＴブロック２１０、２１２によって時間ドメイン信号に別個に変換される。信号の直交性を維持するために、両ＩＦＦＴブロックは同じな長さのものであり、ＢＴＳ２００の伝送スペクトルの全幅をスパンする。
【００５８】
次に、ユニキャストデータを搬送する時間ドメイン信号は、ブロック２１２によって付加された循環前置子（ＣＰ）をもっている。ＢＴＳ２００はこのデータを伝送するＢＴＳだけであるので、ユニキャストデータ信号に対して短いＣＰが用いられる。ＭＢＭＳデータを搬送する時間ドメイン信号はまた（ブロック２１０で）付加された循環前置子（ＣＰ）をもっている。しかし、他のＢＴＳで同じデータを伝送するので、長いＣＰはブロック２１０によって付加される。
【００５９】
二つの時間ドメイン信号は２１４で加算され、そして２０６でＲＦ処理を受け、そしてベース局送信機２１８によって伝送される。そして伝送信号はＵＥ２０２、２０４の各々で受信される。
【００６０】
ＵＥ２０２は図１のＵＥ１０２と同様にして動作し、従って詳細には説明しない。
【００６１】
しかし、ＵＥ２０４は、前述の実施形態と異なり、ＭＢＭＳデータ及びユニキャストデータを別個に処理する二つのＲＦ処理部分を備えており、その結果長さの異なる二つのＦＦＴブロックも備えている。ＵＥ２０４において、受信ＲＦ信号は二つの構成成分に分割され、一方の構成成分は、ＲＦブロック２２０で処理されるＭＢＭＳデータを搬送する５ＭＨｚであり、他方の構成成分は、ＲＦブロック２２２で処理されるユニキャストデータを搬送する１５ＭＨｚである。
【００６２】
ユニキャスト信号及びマルチキャスト信号のＣＰは異なるので、二つのＣＰ除去ブロックは互いに異なっている。ＭＢＭＳ信号に対するＣＰ除去ブロック２２４は、ＭＢＭＳ時間ドメイン信号に付加された長いＣＰを除去するように構成され、一方、ユニキャスト信号に対するＣＰ除去ブロック２２６は、ユニキャスト時間ドメイン信号に付加された短いＣＰを除去するように構成される。
【００６３】
この実施形態では、ＣＰ除去ブロック２２４がＭＢＭＳデータにおいて動作するのみであるように構成されるので、ＵＥは、ＣＰ長さの変動を知る必要がない。
【００６４】
次に、二つの信号は時間ドメインに変換される。ＭＢＭＳストリームは、ネットワークにおいて規定された５ＭＨｚの広いＭＢＭＳ伝送帯域に相当した５１２ポイントＦＦＴブロック２２８を用いて変換され、またユニキャストストリームは、ＵＥ２０４の残りの１５ＭＨｚの広い受信帯域幅に相当した１５３６ポイントＦＦＴブロック２３０を用いて変換される。ＵＥ２０４はまた、ＵＥの複雑さに相当に付加される、一つの信号として全２０ＭＨｚ帯域幅を処理する際に用いるサイズ２０４８をもつＦＦＴブロックを備えている。認められるように、ＭＢＭＳ（又は他のマルチキャストサービス）は全てのＴＴＩにおいてアクティブでない。従って、ＵＥは常にマルチキャストデータを受信する必要がなく、或いはマルチキャストデータをすぐに受信できる必要がない。従って、ネットワークで行なわれることになるＭＢＭＳデータの伝送に関する信号データがある特定のレベルである必要でない。３ＧＰＰＲｅｌ’６仕様に基づく現在のネットワークでは、制御チャンネル（ＭＣＣＨ）はセル対セルに基いて規定される。しかし、ＭＴＣＨが単一周波数ネットワーク（ＳＦＮ）を介して提供される実施形態では、そうではなく、ＭＣＣＨはＳＦＮを介して提供され得る。
【００６５】
本発明の好ましい実施形態では、ＭＢＭＳ制御及びデータチャンネルは、ＭＢＭＳセルグループにおける全てのセルにおいて同じ周波数で伝送されるべきである。このセルグループは一般的には、ネットワーク（この場合５ＭＨｚであると仮定される）におけるＵＥの規定したＭＢＭＳ受信能力と同じ伝送帯域幅をもつ。ＭＢＭＳに対して用いられる帯域に関する情報及びＭＣＣＨの形態は（ＵＥがＭＣＣＨを受信できるように）、セルグループにおける各セルからブロードキャストチャンネルに伝送される。
【００６６】
ＭＢＭＳに関心のあるＵＥは少なくとも変更期間毎にＭＣＣＨを読取るように要求される。ある状況では、これは、ＵＥがＭＣＣＨを受信するようにキャンプ帯域からＭＢＭＳ帯域にＲＦを同調させる必要がある。例えば、図３には、５ＭＨｚ、１０ＭＨｚ、１５ＭＨｚ及び２０ＭＨｚの受信帯域幅をもつＵＥの場合における２０ＭＨｚ帯域幅セルに対する例示帯域割当て体系を例示している。セル帯域幅は周波数軸線３００で表わされ、この周波数軸線３００には、ｆ−６００〜ｆ＋６００の１２０１副搬送波周波数範囲を例示する副搬送波において（Ｈｚではなく）目盛り付けされている。表１に示すシステムパラメータを用いることによって、これは、２０ＭＨｚの伝送帯域幅に等しく見られ得る。ｆ０を中心とするブロック３０２は共通の帯域であり、セルの同期チャンネル、ＢＣＨ、ＰＣＨ及びＳＣＨが伝送される。帯域３０４〜３３０は、この２０ＭＨｚセルにおいて動作する可能な”キャンピング帯域”のセットを例示している。
【００６７】
図３において、全てのＭＢＭＳ制御及びデータが中央の５ＭＨｚ帯域３００すなわち共通帯域において伝送され、ＵＥが非中央帯域、例えば帯域３１４、３１６、３１８、３２２又は３２４〜３３０においてキャンピングされる場合に、ＵＥは、ＭＣＣＨを読取り又はＭＴＣＨを受信するためにＲＦを切り替える必要がある。この場合、システムがそのＵＥに対して連続したＴＴＩにおいてＭＢＭＳ及びユニキャストデータをスケジュールする場合に、ＵＥがそれのＲＦ帯域を切り替えるのに幾分時間がかかるので、両ＴＴＩを受信することは可能でない。
【００６８】
この起こり得る問題は、幾つかの方法の一つで対処できる。
【００６９】
第１の実施形態では、ＢＴＳのスケジュラーは、ＭＢＭＳ  ＴＴＩのバーストの前及び／又は後に予定の数のＴＴＩについてＭＢＭＳを受信するようにＲＦ周波数を切り替えるのに必要なＵＥに対して、ユニキャストデータをスケジュールしないように構成され得る。
【００７０】
しかし、どのＴＴｉにおいてどのＵＥがどのＭＢＭＳサービスを受信しているか知らないノードＢ  ＭＡＣでスケジューリング行なわれるので、この解決法は、ＵＥがどのＭＢＭＳサービスを受信しているかをスケジュラーに知らせる必要がある。この解決法は、多数のサービスが含まれる場合に、アップリンク信号が非常に高価となり得るので、理想的ではない。さらに、スケジュラーはＭＣＣＨの詳細を知るように構成されなければならない。
【００７１】
好ましい実施形態では、ＵＥは自律的に動き、或いはＭＢＭＳ帯域（例えば前記の例では共通の帯域）においてキャンプし且つその帯域における共用チャンネルをモニタするように動く必要がある。この場合、ＵＥは、ＭＢＭＳ帯域においてキャンプするように動いたことをスケジュラーに知らせるようにそのスケジュラーに信号を送らなければならない。あるアップリング信号が必要ではあるが、第１の実施形態におけるより少ない。
【００７２】
別の実施形態では、ＭＢＭＳデータが伝送されることになる際に、システムは、ＭＢＭＳ帯域にキャンピングしていないＵＥを単純に動かすことができる。しかしまた、この解決法は、幾つかのＵＥがいかなるＭＢＭＳサービスも受信していないので理想的はなく、のその帯域に置いて輻輳したスペクトルを共用するように強制される。
【００７３】
第４の代わりの実施形態では、この問題の解決法はＵＥにゆだねられ得る。３ＧＰＰＲｅｌ’６の場合のように、ＵＥはどのサービスが優先されるのが相応しいかを決めることをゆだねられ得る。しかし、この解決法は、スケジュールされたユニキャストデータがＵＥによってＭＢＭＳより優先順序が低く、しかもユニキャストデータがＭＢＭＳ及びユニキャスト帯域の間のＲＦ切換えのため受信されない場合に無駄な手段となる。
【００７４】
本発明は、前述のＭＢＭＳ、受信、共通及びキャンピング帯域の定義が幾分任意であるので、これらの帯域に限定されると解釈されるべきでない。より多くの（又はより少ない）帯域を規定することができる。例えば２０ＭＨｚの帯域幅セルにおいて、１５ＭＨｚ帯域は、ｆ−１５０とｆ＋１５０との間の任意の中心周波数で規定され得る。同様に、１０ＭＨｚ帯域は、ｆ−３００とｆ＋３００との間の任意の中心周波数で規定され得る。また共通帯域はセルの帯域幅に沿った任意の点に規定され得る。本発明は、ＭＢＭＳサービスの伝送に関連して説明してきたが、しかし本発明はこの応用に限定されるものではなく、他の形式のマルチキャストデータの伝送に適用できることが認められるべきである。
【００７５】
本明細書で成された説明は、５ＭＨｚ（又はそれ以下）のような低いセル帯域幅に対して全てのＵＥが全伝送帯域幅を受信でき、その場合ＭＢＭＳ及びユニキャストデータが一つのＴＴＩで多重化され得るので、セル帯域幅が１０ＭＨｚ又はそれ以上である場合に限定されないことが認められる。
【００７６】
本明細書で説明し規定した本発明は、記載した、又は明細書又は図面から明らかな二つの以上の個々の特徴の全ての組合せに及ぶことが理解される。これらの種々の組合せの全ては本発明の種々の代わりの特徴を構成する。
【図面の簡単な説明】
【００７７】
【図１】本発明の第１の実施形態によるネットワーク動作で動作するベース局送信機及び二つのＵＥを示す概略線図である。
【図２】本発明の第２の実施形態によるネットワーク動作で動作するベース局送信機及び二つのＵＥを示す概略線図である。
【図３】本発明の実施形態による２０ＭＨｚ帯域幅セル（領域）で５ＭＨｚ、１０ＭＨｚ、１５ＭＨｚ及び２０ＭＨｚ受信能力もつＵＥに対する帯域幅割当てをマッピングする種々の任意選択事項を示す図である。
【図１】
2009526417.tif 000004
【図２】
2009526417.tif 000005
【図３】
2009526417.tif 000006
【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
各々、それぞれの送信帯域幅において送信する複数のベース送受信局（ＢＴＳ）と、各々それぞれの最大受信帯域幅をもつ一つ以上の携帯端末装置（ＭＴ）とを備えた無線通信ネットワークの動作方法であって、
マルチキャストサービスが伝送されることになるネットワークの少なくとも第１のグループのＢＴＳの送信帯域幅内で共通のマルチキャスト周波数帯域を規定すること、
第１のグループのＢＴＳ内で各ＢＴＳから共通のマルチキャスト周波数でマルチキャストサービスを送信すること、及び
共通のマルチキャスト周波数帯域の幅より大きな帯域幅をもつ各ベース送受信局がマルチキャスト周波数帯域外の送信帯域幅の一部においてユニキャストサービスを伝送できるようにすること、
を含むことを特徴とする無線通信ネットワークの動作方法。
【請求項２】
共通のマルチキャスト周波数帯域の周波数が予め規定されることを特徴とする請求項１記載の無線通信ネットワークの動作方法。
【請求項３】
共通のマルチキャスト周波数帯域が、ＭＴにおける最低の最大受信帯域幅に等しい帯域幅をもつことを特徴とする請求項１又は２記載の無線通信ネットワークの動作方法。
【請求項４】
第１のグループがネットワークにおける全てのＢＴＳを含んでいることを特徴とする請求項１〜３のいずれか一項記載の無線通信ネットワークの動作方法。
【請求項５】
第１の送信帯域幅をもつベース送受信局（ＢＴＳ）におけるマルチキャストサービスを、各々それぞれの最大の受信帯域幅をもつ一つ以上の携帯端末装置（ＭＴ）に送信する方法であって、
予め規定したマルチキャスト周波数帯域においてマルチキャストサービスを送信すること、及び
第１の送信帯域幅がマルチキャスト周波数帯域の帯域幅より大きい場合に、マルチキャスト周波数帯域外の一つ以上の周波数帯域でユニキャストサービスを送信すること、
を含むことを特徴とするベース送受信局におけるマルチキャストサービスの送信方法。
【請求項６】
さらに、前記マルチキャストデータを含む時間ドメイン信号に長循環前置子を付加することを含むことを特徴とする請求項５記載のベース送受信局におけるマルチキャストサービスの送信方法。
【請求項７】
さらに、
前記ユニキャストサービスと前記マルチキャストサービスとを結合して、前記ユニキャストサービス及び前記マルチキャストサービスを表す信号を形成する複数の副搬送波の直交性が送信信号において維持されるように送信信号を発生することを含むことを特徴とする請求項５又は６記載のベース送受信局におけるマルチキャストサービスの送信方法。
【請求項８】
さらに、
前記ユニキャストサービスを表すデータと前記マルチキャストサービスを表すデータとを周波数ドメインで多重化すること、及び
多重化した周波数ドメイン信号を時間ドメイン信号に変換すること、
を含むことを特徴とする請求項５〜７のいずれか一項記載のベース送受信局におけるマルチキャストサービスの送信方法。
【請求項９】
多重化した周波数ドメイン信号を時間ドメイン信号に変換するステップが、最初の送信帯域幅に依存した大きさの逆高速フーリエ変換（ＩＦＦＴ）を行うことを含むことを特徴とする請求項８記載のベース送受信局におけるマルチキャストサービスの送信方法。
【請求項１０】
さらに、
前記ユニキャストサービスを表すデータを時間ドメイン信号に変換すること、及び
前記マルチキャストサービスを表すデータを、前記ユニキャストサービスを表すデータとは別個に時間ドメイン信号に変換すること、
を含むことを特徴とする請求項５〜７のいずれか一項記載のベース送受信局におけるマルチキャストサービスの送信方法。
【請求項１１】
前記ユニキャストサービスを表すデータを時間ドメイン信号に変換するステップが、最初の送信帯域幅に依存した大きさの逆高速フーリエ変換（ＩＦＦＴ）を行うことを含むことを特徴とする請求項１０記載のベース送受信局におけるマルチキャストサービスの送信方法。
【請求項１２】
前記マルチキャストサービスを表すデータを時間ドメイン信号に変換するステップが、最初の送信帯域幅に依存した大きさの逆高速フーリエ変換（ＩＦＦＴ）を行うことを含むことを特徴とする請求項１０又は１１記載のベース送受信局におけるマルチキャストサービスの送信方法。
【請求項１３】
さらに、
ユニキャストサービスを搬送する時間ドメイン信号に、第１の長さをもつ第１の循環前置子を付加すること、
マルチキャストサービスを搬送する時間ドメイン信号に、第１の長さより長い第２の長さをもつ第２の循環前置子を付加すること、及び
前記ＭＴへ送信する前に前記時間ドメイン信号を付加すること、
を含むことを特徴とする請求項１０〜１２のいずれか一項記載のベース送受信局におけるマルチキャストサービスの送信方法。
【請求項１４】
さらに、
前記多重化した信号から発生した時間ドメイン信号に長い循環前置子を付加することを含むことを特徴とする請求項８又は９記載のベース送受信局におけるマルチキャストサービスの送信方法。
【請求項１５】
さらに、
特定の時間送信間隔でマルチキャストサービスが送信されない場合に、前記多重化した信号から発生した時間ドメイン信号に短い循環前置子を付加することを含むことを特徴とする請求項１４記載のベース送受信局におけるマルチキャストサービスの送信方法。
【請求項１６】
さらに、
特定の時間送信間隔でマルチキャストサービスが送信されることになるかどうかを、一つ以上のＭＴへ送信することを含むことを特徴とする請求項５〜１５のいずれか一項記載のベース送受信局におけるマルチキャストサービスの送信方法。
【請求項１７】
各々、それぞれの送信帯域幅において送信する一つ以上のベース送受信局（ＢＴＳ）を備え、前記一つ以上のベース送受信局（ＢＴＳ）の一部が一つ以上のマルチキャストサービスを送信するように構成される、無線通信ネットワークの第１の最大受信帯域幅をもつ携帯端末装置（ＭＴ）における方法であって、
一つ以上のマルチキャストサービスを送信するようにされた送信帯域幅の部分をエンコンパスする受信周波数帯域に受信装置を同調させること、
マルチキャストサービスに関連したデータを含む少なくとも信号の部分を送信するのに用いた循環前置子の長さを決めること、
マルチキャストサービスに関連したデータを含む少なくとも信号の部分から前記決められた長さの循環前置子を除去すること、及び
マルチキャストサービスを送信するのに用いた送信帯域幅の部分の大きさで決められた大きさの高速フーリエ変換を用いて、マルチキャストサービスに関連したデータを含む信号の部分を周波数ドメイン信号に変換すること、
を含むことを特徴とする方法。
【請求項１８】
さらに、
ユニキャストサービスに関連したデータを含む少なくとも信号の第２の部分から前記決められた長さより短い長さの循環前置子を除去すること、及び
ユニキャストサービスを送信するのに用いた送信帯域幅の部分の大きさで決められた大きさの高速フーリエ変換を用いて、ユニキャストサービスに関連したデータを含む信号の第２の部分を周波数ドメイン信号に変換すること、
を含むことを特徴とする請求項１７記載の方法。
【請求項１９】
各々、それぞれの送信帯域幅において送信する一つ以上のベース送受信局（ＢＴＳ）を備え、前記一つ以上のベース送受信局（ＢＴＳ）の一部が一つ以上のマルチキャストサービスを送信するように構成される、無線通信ネットワークの第１の最大受信帯域幅をもつ携帯端末装置（ＭＴ）における方法であって、
一つ以上のマルチキャストサービスを送信するようにされた送信帯域幅の部分を含む受信周波数帯域に受信装置を同調させること、
特定の送信時間間隔で信号を送信するのに用いた循環前置子の長さを決めること、
相応した受信信号から前記決められた長さの循環前置子を除去すること、及び
ＭＴの受信帯域幅で決められた大きさの高速フーリエ変換を用いて、受信信号を周波数ドメイン信号に変換すること、
を含むことを特徴とする方法。
【請求項２０】
一部が一つ以上のマルチキャストサービスを送信するようにされたそれぞれの送信帯域幅において送信する少なくとも一つのベース送受信局（ＢＴＳ）と通信する携帯端末装置（ＭＴ）における、ユニキャストサービスの受信方法であって、
受信装置を受信周波数帯域に同調させること、
特定の送信時間間隔で信号を送信するのに用いた循環前置子の長さを決めること、
相応した受信信号から前記決められた長さの循環前置子を除去すること、及び
ＭＴの受信帯域幅で決められた大きさの高速フーリエ変換を用いて、受信信号を周波数ドメイン信号に変換すること、
を含むことを特徴とする方法。
【請求項２１】
循環前置子の長さが受信した信号データに基づいて決められることを特徴とする請求項１７〜２０のいずれか一項記載の方法。
【請求項２２】
マルチキャスト制御チャンネルを読取ること、及び
マルチキャスト制御チャンネルにおいて受信したデータに基いて、一つ以上の伝送時間間隔がマルチキャストサービスを含んでいるかどうかを決めること、及び
特定の伝送時間間隔における１つ以上のマルチキャストサービスの有無に基いて、該特定の伝送時間間隔において信号を伝送するのに用いた循環前置子の長さを決めること、
を含むことを特徴とする請求項２１記載の方法。
【請求項２３】
循環前置子の長さが前記循環前置子の長さの盲目的検知で決められることを特徴とする請求項１７〜２０のいずれか一項記載の方法。
【請求項２４】
第１の送信帯域幅をもつベース送受信局（ＢＴＳ）において少なくとも一つのマルチキャストサービス及びユニキャストサービスを、第１の送信帯域幅より狭い受信帯域幅で動作する携帯端末装置（ＭＴ）へ伝送することをスケジュールする方法であって、前記マルチキャストサービスが、予め規定した共通のマルチキャスト周波数帯域で送信され、前記ユニキャストサービスが、マルチキャスト周波数帯域外の一つ以上の周波数帯域で送信され、ＭＴが、マルチキャスト周波数帯域を包含しない受信周波数帯域でそれのユニキャストサービスを受信するように構成されている場合に、
少なくとも一つの第１の送信時間間隔で前記マルチキャストサービスの送信をスケジュールすること、及び
少なくとも一つの異なる第２の送信時間間隔で前記ユニキャストサービスの送信をスケジュールすること、
を含み、
前記第１及び第２の送信時間間隔が連続していないこと、
を特徴とする方法。
【請求項２５】
前記マルチキャストサービス及び前記ユニキャストサービスの送信ためにスケジュールした時間間隔の間に少なくとも予定の時間間隔を設けることを含むことを特徴とする請求項２４記載の方法。
【請求項２６】
前記マルチキャストサービスを包含する受信帯域と前記ユニキャストサービスを含む受信帯域との間で又はその逆の間で前記携帯端末装置を切換えするのに十分に時間間隔を前記ユニキャストサービスと前記マルチキャストサービスとの間にスケジュールすることを含むことを特徴とする請求項２４又は２５記載の方法。
【請求項２７】
マルチキャストサービス及びユニキャストサービスのスケジューリングが、ＭＴで受信されることになる一つ以上のマルチキャストサービスを表す該ＭＴから受信した信号データに従って行われることを特徴とする請求項２４〜２６のいずれか一項記載の方法。
【請求項２８】
第１の受信帯域幅で動作する携帯端末装置（ＭＴ）でマルチキャストサービス及びユニキャストサービスを受信する方法であって、これらのサービスが、第１の受信帯域幅より大きい送信帯域幅をもつベース送受信局（ＢＴＳ）から受信され、前記マルチキャストサービスが、送信帯域幅内の予め規定した共通のマルチキャスト周波数帯域で送信される方法において、
マルチキャスト周波数帯域を包含しない受信周波数帯域でユニキャストサービスを受信すること、
ＭＴの受信周波数帯域を、マルチキャスト周波数帯域を包含する周波数帯域に切換えること、及び前記切換えた受信周波数帯域においてユニキャストサービス及びマルチキャストサービスを受信すること、
を含むことを特徴とする方法。
【請求項２９】
ＭＴの受信周波数帯域を切換えるステップがＭＴによって自動的に行われ、さらに、受信周波数帯域の切換えを要求するか又はＭＴが受信周波数帯域を切換えたことをＢＴＳに報告するようにＢＴＳに信号を供給することを含むことを特徴とする請求項２８記載の方法。
【請求項３０】
ＭＴに受信周波数帯域を切換えるように指令する信号データをＭＴで受信することを含むことを特徴とする請求項２８記載の方法。
【請求項３１】
請求項５〜１６及び請求項２４〜２７のいずれか一項記載の方法を用いてマルチキャストサービスを送信するように構成したことを特徴とするベース送受信局。
【請求項３２】
請求項１７〜１９のいずれか一項記載の方法を実施するように構成したことを特徴とする携帯端末装置。
【請求項３３】
請求項２０〜２３及び請求項２８〜３０のいずれか一項記載の方法を用いてサービスを受信するように構成したことを特徴とする携帯端末装置。
【請求項３４】
各々、それぞれの送信帯域幅において送信する複数のベース送受信局（ＢＴＳ）と、各々それぞれの最大受信帯域幅をもつ一つ以上の携帯端末装置（ＭＴ）とを有し、請求項１〜４のいずれか一項に記載の方法を実施するように構成したことを特徴とする無線通信ネットワーク。
【請求項３５】
マルチキャスト信号及びユニキャスト信号を送信する方法であって、
前記マルチキャスト信号を第１の周波数帯域を割当てること、
前記ユニキャスト信号を第２の周波数帯域を割当てること、
周波数ドメインにおいて前記マルチキャスト信号及び前記ユニキャスト信号を多重化すること、
多重化した信号において逆フーリエ変換を実施して伝送信号を得ること、及び
前記伝送信号を送信すること、
を含むことを特徴とするマルチキャスト信号及びユニキャスト信号の送信方法。
【請求項３６】
マルチキャスト信号及びユニキャスト信号を受信する方法であって、
前記マルチキャスト信号及び前記ユニキャスト信号を受信すること、及び
受信した信号においてフーリエ変換を実施して前記マルチキャスト信号及び前記ユニキャスト信号を同時に得るようにすること、
を含むことを特徴とするマルチキャスト信号及びユニキャスト信号の受信方法。
【請求項３７】
マルチキャスト信号及びユニキャスト信号を送信する方法であって、
前記マルチキャスト信号を第１の周波数帯域に割当てること、
前記マルチキャスト信号において逆フーリエ変換を実施すること、
前記ユニキャスト信号を第２の周波数帯域に割当てること、
前記ユニキャスト信号において逆フーリエ変換を実施すること、
時間ドメインにおいて、時間ドメインに変換された前記マルチキャスト信号及び時間ドメインに変換された前記ユニキャスト信号を多重化して、伝送信号を得るようにすること、及び
前記伝送信号を送信すること、
を含むことを特徴とするマルチキャスト信号及びユニキャスト信号の送信方法。
【請求項３８】
マルチキャスト信号及びユニキャスト信号を受信する方法であって、
前記マルチキャスト信号及び前記ユニキャスト信号を含む信号を受信すること、
時間ドメインにおいて、受信した信号を、前記マルチキャスト信号を含む第１の信号及び前記ユニキャスト信号を含む第２の信号に逆多重化すること、
前記第１の信号においてフーリエ変換を実施して前記マルチキャスト信号を得るようにすること、及び
前記第２の信号においてフーリエ変換を実施して前記ユニキャスト信号を得るようにすること、
を含むことを特徴とするマルチキャスト信号及びユニキャスト信号の受信方法。
【請求項３９】
マルチキャスト信号及びユニキャスト信号を送信する装置であって、
前記マルチキャスト信号を第１の周波数帯域に割当てる第１の割当て装置と、
前記ユニキャスト信号を第２の周波数帯域に割当てる第２の割当て装置と、
周波数ドメインにおいて前記マルチキャスト信号及び前記ユニキャスト信号を多重化する多重化装置と、
多重化した信号において逆フーリエ変換を実施して伝送信号を得るようにする変換装置と、
前記伝送信号を送信する送信機と、
を有することを特徴とするマルチキャスト信号及びユニキャスト信号の送信装置。
【請求項４０】
マルチキャスト信号及びユニキャスト信号を受信する装置であって、
前記マルチキャスト信号及び前記ユニキャスト信号を含む信号を受信する受信機と、
受信した信号においてフーリエ変換を実施して前記マルチキャスト信号及び前記ユニキャスト信号を同時に得るようにする変換装置と、
を有することを特徴とするマルチキャスト信号及びユニキャスト信号の受信装置。
【請求項４１】
マルチキャスト信号及びユニキャスト信号を送信する装置であって、
前記マルチキャスト信号を第１の周波数帯域に割当てる第１の割当て装置と、
前記マルチキャスト信号において逆フーリエ変換を実施する第１の変換装置と、
前記ユニキャスト信号を第２の周波数帯域に割当てる第２の割当て装置と、
前記ユニキャスト信号において逆フーリエ変換を実施する第２の変換装置と、
時間ドメインにおいて、時間ドメインに変換された前記マルチキャスト信号及び時間ドメインに変換された前記ユニキャスト信号を多重化して、伝送信号を得るようにする多重化装置と、
前記伝送信号を送信する送信機と、
を有することを特徴とするマルチキャスト信号及びユニキャスト信号の送信装置。
【請求項４２】
マルチキャスト信号及びユニキャスト信号を受信する装置であって、
前記マルチキャスト信号及び前記ユニキャスト信号を含む信号を受信する受信機と、
時間ドメインにおいて、受信した信号を、前記マルチキャスト信号を含む第１の信号及び前記ユニキャスト信号を含む第２の信号に逆多重化する逆多重化装置と、
前記第１の信号においてフーリエ変換を実施して前記マルチキャスト信号を得るようにする第１の変換装置と、
前記第２の信号においてフーリエ変換を実施して前記ユニキャスト信号を得るようにする第２の変換装置と、
を有することを特徴とするマルチキャスト信号及びユニキャスト信号の受信装置。
【国際調査報告】
2009526417.tif 000007
2009526417.tif 000008